(57)【要約】　　　（修正有）【課題】前方レンズ群の光軸方向へのコンパクト化と共に、大型化を抑制しながらの多機能化（被写体側からの光軸の方向確認）が図られたカメラを提供する。【解決手段】被写体からの被写体光を、来た方向とは異なる方向に反射する反射部材１１４と、この反射部材１１４の背面に配備された発光体１１３とを備え、被写体に発光させる。これにより反射部材１１４および前方レンズ群を１１１通した発光を被写体側から確認できるようにした。【選択図】　　　　図３
2004020838.tif 000002
【特許請求の範囲】
【請求項１】
被写体からの被写体光を所定の結像面に結像して撮影を行うカメラにおいて、
被写体側に向いた前方レンズ群と、前記前方レンズ群を通過した被写体光を反射する反射部材と、前記反射部材で反射した被写体光を結像面に結像させる後方レンズ群とを有する撮影光学系、および
前記反射部材の背面に配備され、発光による光を、前記反射部材および前記前方レンズ群を透して被写体側から視認させる発光体を備えたことを特徴とするカメラ。
【請求項２】
前記反射部材がプリズムであることを特徴とする請求項１記載のカメラ。
【請求項３】
前記発光体の発光による光を、前記反射部材および前記前方レンズ群を透して、被写体側の、撮影画角内の１つもしくは複数の所定の方向のいずれかから眺めたときのみ視認させる１つもしくは複数の視認窓を有することを特徴とする請求項１記載のカメラ。
【発明の詳細な説明】
【０００１】
【発明の属する技術分野】
本発明は、被写体からの被写体光を所定の結像面に結像して撮影を行うカメラに関する。
【０００２】
【従来の技術】
近年、レンズ鏡胴を繰り出しあるいは沈胴させることで、ズーミングおよびフォーカシングを行ない、不使用時の光軸方向のコンパクト性の向上が図られたカメラが普及している。
【０００３】
さらに、特表２０００−５１５２５５号公報には、カメラ本体内に反射ミラーを備え、カメラの前面に備えられた前面レンズを含む前方レンズ群を透してカメラ本体内に導かれた被写体光を、この反射ミラーによって前方レンズ群の光軸方向と交わる方向に反射させて固体撮像素子上に導き写真撮影を行う、使用不使用にかかわらず光軸方向のコンパクト化が図られた、ズーミングおよびフォーカシング機能付カメラが提案されている。
【０００４】
【発明が解決しようとする課題】
ところで、最近の携帯機器には、コンパクト化と共に益々の高機能化が求められており、これは、カメラに対しても同様である。
【０００５】
本発明は、上記事情に鑑み、前方レンズ群の光軸方向へのコンパクト化と共に、大型化を抑制しながらの多機能化が図られたカメラを提供することを目的とする。
【０００６】
【課題を解決するための手段】
上記目的を達成するための本発明のカメラは、
被写体からの被写体光を所定の結像面に結像して撮影を行うカメラにおいて、
被写体側に向いた前方レンズ群と、この前方レンズ群を通過した被写体光を反射する反射部材と、この反射部材で反射した被写体光を結像面に結像させる後方レンズ群とを有する撮影光学系、および
上記反射部材の背面に配備され発光による光を、被写体側から、上記反射部材および上記前方レンズ群を透して視認させる発光体を備えたことを特徴とする。
【０００７】
本発明のカメラでは、被写体からの被写体光が、前方レンズ群を通過後反射部材で反射されてから後方レンズ群を透して所定の結像面に導かれており、また、反射部材の背面に備えられた発光体からの発光光が、前方レンズ群および反射部材を透して被写体側から視認可能となっている。つまり、本発明のカメラでは、それぞれが異なる方向を向いた光軸を有する、前方レンズ群および後方レンズ群によって写真撮影が行われていることで、前方レンズ群の光軸方向へのコンパクト化が図られていると共に、従来デッドスペースであった反射部材の背面側に発光体を配備されているので、例えば、この発光体をセルフタイマ撮影時のタリーランプとして利用することで、反射部材の背面側とは異なる位置にこの発光体を配備してタリーランプとした場合と比べ、カメラの大型化を抑制しながら機能を付加することができる。
【０００８】
ここで、上記反射部材がプリズムであることが好ましい。
【０００９】
このようにすると、反射部材に必要な機能を低コストで実現できる。
【００１０】
また、発光体からの発光光を、上記反射部材および上記前方レンズ群を透して、被写体側の、撮影画角内の１つもしくは複数の所定の方向のいずれかから眺めたときのみ視認させる１つもしくは複数の視認窓を有することも好ましい態様である。
【００１１】
このようにすると、自己撮影を思い通りに行うことができる。
【００１２】
【発明の実施の形態】
以下、本発明のカメラの実施形態について説明する。
【００１３】
図１は、本実施形態の、斜め前方からの外観斜視図である。
【００１４】
図１に示される本実施形態のカメラ１は、ＣＣＤ固体撮像素子を内蔵するズーム機能付デジタルカメラであり、このカメラでは、フォーカシングおよびズーミングは、レンズ鏡胴の繰り出しあるいは繰り込みによっては行われておらず、カメラの下方向に配列されたレンズ群を構成するレンズ間隔を変化させて行われている。
【００１５】
このカメラ１の前面には、前面レンズ１１、前面レンズ１１の左斜め上にフラッシュ調光窓１２、フラッシュ調光窓１２の左隣にフラッシュ発光窓１３、および前面レンズ１１の右側にファインダ対物窓２３ａが備えられている。
【００１６】
このカメラ１の上面には、右端にレリーズボタン１４が備えられている。尚、撮影モードダイヤル２２については、図２において説明する。
【００１７】
このカメラ１の左側面の下方には、上から順に、写真撮影によって得られた画像データをパーソナルコンピュータなどに送信したりする際に使用されるＵｎｉｖｅｒｓａｌ　Ｓｅｒｉａｌ　Ｂｕｓ（ＵＳＢ）ケーブルが接続されるＵＳＢ端子１５および外部電源端子１６が示されている。
【００１８】
図２は、本実施形態のカメラの、斜め後方からの外観斜視図である。
【００１９】
図２に示されている本実施形態のカメラ１の背面には、画像を表示する液晶パネル１８、液晶パネルによる画像表示をオン／オフするための液晶パネル起動ボタン１９、ファインダ接眼窓２３ｂ、撮影モードダイヤル２２、バリエーションの選択およびズームを行なう際に操作される十字キー２０、液晶パネル１８上にメニューを画像表示させたり、その確定に使用されるメニュー／ＯＫスイッチ２１、このカメラ１に備えられている‘撮影記録’機能および‘画像データ再生’機能のうちのいずれを選択するかを決定するために操作される機能選択レバー２５、および、機能選択レバー２５の軸上に設けられたメインスイッチ２４が備えられている。
【００２０】
このカメラ１では、機能選択レバー２５を上側にもっていくことで‘撮影記録’機能が選択され、機能選択レバー２５を下側にもっていくことで‘画像データ再生’機能が選択される。また、この‘撮影記録’機能においては、‘人物撮影’モード、‘風景撮影’モード、‘スポーツ’モード、‘セルフタイマ’モード、および‘自己撮影’モードを選択することが可能であり、撮影モードダイヤル２２は、これらのモードのうちのいずれかを選択するためのダイヤルである。
【００２１】
図３は、本実施形態のカメラの左側面からの透視図である。
【００２２】
図３には、上段左側（カメラ１の前方側）に図１に示される前面レンズ１１を含む前方レンズ群１１１が示されている。
【００２３】
図３に示される前方レンズ群１１１の右側には、前方レンズ群１１１を通過してくる被写体光をカメラ下方に反射するプリズム１１２と、プリズム１１２の右側に前方レンズ群１１１の光軸上に備えられたＬＥＤ１１３と、プリズム１１２の下方（カメラ１の下方）にフォーカシングあるいはズーミングのための撮影レンズ群と、撮影レンズ群の下方にこれら前方レンズ群および撮影レンズ群を透して導かれた被写体光が結像されるＣＣＤ固体撮像素子１１６とが示されている。
【００２４】
図３に示されるプリズム１１２の右面（カメラ１の背面側）に貼付されている部材については後述する。尚、本実施形態の前方レンズ群１１１は、図１に示される前面レンズ１１を含む複数のレンズで構成されているが、これに限らず、前方レンズ群が１枚の凹レンズのみで構成されるものであってもよい。
【００２５】
ここで、本実施形態のカメラ１の撮影動作について説明する。
【００２６】
以下では、‘撮影記録’機能における‘自己撮影’モードおよび‘セルフタイマ’モードを選択した場合について説明し、‘撮影記録’機能において選択可能なその他のモードおよび‘画像データ再生’機能についての説明は、本発明と無関係であるので省略する。
【００２７】
図２に示されるメインスイッチ２４を投入し、機能選択レバー２５を‘撮影記録’の方（上側）に持っていき、撮影モードダイヤル２２を操作して‘自己撮影’モードを選択すると、図３に示されるＬＥＤ１１３が点灯される。
【００２８】
図４は、被写体側からカメラの前面レンズを見た場合の図である。
【００２９】
図４には、前面レンズ１１を含む第１レンズ群１１１を透して視認できる、図３に示されるプレート１１４およびＬＥＤ１１３が示されている。図３にも示されるプレート１１４には、中央に長孔１１２ａが設けられている。
【００３０】
また、図４には、‘自己撮影’モードを選択した自己撮影者が、撮影画角内から、プレート１１４の孔１１４ａ越しにＬＥＤ１１３を視認した場合が示されており、図４（ａ）には、自己撮影者が撮影画角の左端のいるＬＥＤ１１３の見え方が示されており、図４（ｂ）には、自己撮影者が撮影画角の右端にいる場合のＬＥＤ１１３の見え方が示されている。つまり、自己撮影者から見て、ＬＥＤ１１３を孔１１４ａの右端に視認する場合には、自分自身が画角の左端にいると認識することができ、ＬＥＤ１１３を孔１１４ａの左端に視認する場合には、自分自身が画角の右端にいると認識することができる。
【００３１】
図５は、本実施形態のカメラに別のプレートを用いた場合の様子を示す図である。
【００３２】
図５には、前面レンズ１１を含む前方レンズ群１１１を透して視認できる、プレート１２４の３つの孔１２４１ａ、１２４１ｂ、１２４１ｃが示されている。
【００３３】
図５に示されるプレート１２４には、図４に示されるプレート１１４と異なり３つの孔１２４１ａ、１２４１ｂ、１２４１ｃが設けられており、自己撮影者から見て、左端の孔１２４１ａを通してＬＥＤ１１３が視認できる場合は、自己撮影者は、自分自身が撮影画角の右端にいると認識することができ、右端の孔１２４１ｃを通してＬＥＤ１１３が視認できる場合は、自分自身が撮影画角の左端にいると認識することができる。また、中央の孔１２４１ｂを通してＬＥＤ１１３が視認できる場合は、自分自身が撮影画角の中央にいると認識することができる。
【００３４】
図６は、‘自己撮影’モードが選択された際に起動されるルーチンのフローチャートである。
【００３５】
ステップＳ１では、現在選択されているモードが‘自己撮影’であるか否かが判定される。
【００３６】
ステップＳ１において、現在選択されているモードが‘自己撮影’ではないと判定されるとステップＳ２に進み、ＬＥＤが点灯されていればその消灯が行われ、このルーチンは終了する。
【００３７】
ステップＳ１において、現在選択されているモードが‘自己撮影’であると判定されると、ステップＳ３に進み、ＬＥＤ１１３が点灯しているか否かが判定される。
【００３８】
ステップＳ３において、ＬＥＤ１１３が点灯していないと判定されると、ステップＳ４に進み、ＬＥＤ１１３の点灯が行われる。その後、ステップＳ１に戻る。
【００３９】
ステップＳ３において、ＬＥＤ１１３が点灯していると判定されると、ステップＳ１に戻る
次に、本実施形態のカメラ１において‘セルフタイマ’モードが選択された場合について説明する。この場合は、図３に示されるＬＥＤ１１３は、レリーズボタンが押下された後、撮影者によってあらかじめ設定された、撮影までの残り時間に応じた速度での点滅が行われ、例えば、図４に示されるプレート１１４が採用されている場合には、撮影者は、このプレート１１４に設けられた孔１１４ａを通してこの点滅するＬＥＤ１１３を視認することができる。
【００４０】
図７は、‘セルフタイマ’モードが選択された際に起動されるルーチンのフローチャートである。
【００４１】
ステップＳ１１では、このモードで設定される撮影までの猶予秒数値に応じた値が格納されるカウンタのゼロクリアが行われ、ステップＳ１２では、現在選択されているモードが‘セルフタイマ’モードであるか否かが判定される。
【００４２】
ステップＳ１２において、現在選択されているモードが‘セルフタイマ’モードではないと判定されると、このルーチンを終了する。
【００４３】
ステップＳ１２において、現在選択されているモードが‘セルフタイマ’モードであると判定されると、ステップＳ１３に進み、レリーズボタンがオンされているか否かが判定され、オンされていないと判定されると、ステップＳ１２に戻る。
【００４４】
ステップＳ１３において、レリーズボタンがオンされていると判定されると、ステップＳ１４に進み、撮影までの猶予秒数値に応じてカウンタに格納されているカウント値の減算が行われ、その後、ステップＳ１５に進む。
【００４５】
ステップＳ１５では、このカウント値に応じてＬＥＤ１１３の点滅の間隔が変更される。その後、ステップＳ１６に進み、カウント値がゼロに等しくなったか否かが判定される。
【００４６】
ステップＳ１６において、カウント値がまだゼロになっていないと判定されると、ステップＳ１４に戻り、ステップＳ１６において、ゼロに等しいと判定されると、このルーチンを終了する。
【００４７】
以上に説明した本実施形態のカメラ１では、図３に示されるように、被写体側に向けられた前面レンズ１１を含む前方レンズ群１１１を通過する被写体光をプリズムで反射させ、カメラ１の下方に導き固体撮像素子上に結像させている。これにより、フォーカシングおよびズーミングに伴うレンズの移動がカメラの前後方向ではなく、カメラの上下方向において行われるのでカメラの前面レンズ１１の光軸方向についてのコンパクト化が可能となっている。さらに、このカメラ１には、従来においてはデッドスペースであったプリズムの背面スペースにＬＥＤ１１３が配備され、これが、自己撮影においては撮影画角内における自分自身の位置を認識するための指標として、あるいはセルフタイマ使用時においてはタリーランプとして使用できる。
【００４８】
尚、本実施形態では、プリズムに、本発明にいう視認窓が設けられたプレートが貼付された場合を例に挙げて説明しているが、これに限らず、このプレートが貼付されているのではなく一体に成型されているものであってもよく、さらには、プレートが省かれているものであっても本発明の目的の達成には影響ない。また、本実施形態では、本発明にいう反射部材にプリズム、発光体にＬＥＤを採用しているが、所定の方向から進んでくる被写体光を反射すると共に、背面に備えられた発光体からの発光光を被写体側に透すことができるものであれば、これに限らず、ハーフミラーなどを採用するものであってもよい。さらに、本実施形態では、デジタルカメラを例に挙げて説明しているが、本発明が、ロール状の写真フィルムあるいはインスタント写真フィルムに撮影を行うタイプのカメラにおいてなされてるものであってもよく、また、被写体光の屈曲がカメラの下方ではなくカメラの左方向あるいは右方向にされるものであってもよい。
【００４９】
【発明の効果】
以上説明したように、本発明のカメラによれば、前方レンズ群の光軸方向へのコンパクト化と共に、大型化を抑制しながら多機能化を図ることができる。
【図面の簡単な説明】
【図１】本実施形態の、斜め前方からの外観斜視図である。
【図２】本実施形態のカメラの、斜め後方からの外観斜視図である。
【図３】本実施形態のカメラの左側面からの透視図である。
【図４】ユーザー側からカメラの前面レンズを見た場合の図である。
【図５】本実施形態のカメラに別の態様のプレートを用いた場合の様子を示す図である。
【図６】‘自己撮影’モードが選択された際に起動されるルーチンのフローチャートである。
【図７】‘セルフタイマ’モードが選択された際に起動されるルーチンのフローチャートである。
【符号の説明】
１　カメラ
１１　前面レンズ
１２　フラッシュ調光窓
１３　フラッシュ発光窓
１４　レリーズボタン
１５　ＵＳＢ端子
１６　外部電源端子
１８　液晶パネル
１９　液晶パネル起動ボタン
２０　十字キー
２１　メニュー／ＯＫスイッチ
２２　撮影モードダイヤル
２３ａ　ファインダ対物窓
２３ｂ　ファインダ接眼窓
２４　メインスイッチ
２５　機能選択レバー
１１１　前方レンズ群
１１２　プリズム
１１３　ＬＥＤ
１１４、１２４　プレート
１１４ａ、１２４１ａ，１２４１ｂ、１２４１ｃ　孔
１１５　撮影レンズ群
１１６　ＣＣＤ撮像素子
【図１】
2004020838.tif 000003
【図２】
2004020838.tif 000004
【図３】
2004020838.tif 000005
【図４】
2004020838.tif 000006
【図５】
2004020838.tif 000007
【図６】
2004020838.tif 000008
【図７】
2004020838.tif 000009